(57)【要約】【課題】接触力の低下を抑制し、安定した接触力を維持することができるコンタクト及びコネクタを提供すること。【解決手段】コンタクト本体１４と、コンタクト本体１４の一方側に電線９６が接続される接続部４６と、他方側に基板９８の接点部１００と接触される接触部３８と、を有し、一体に形成されたコンタクト１２であって、コンタクト本体１４の接続部３８とは反対側からは、屈曲片２２が延設されており、屈曲片２２には、基板９８に形成された貫通孔１０２に挿入される挿入部３０と、接触部３８とが形成されており、挿入部３８には、挿入部３８の外側に突出された引っ掛け部２９が形成されており、挿入部３８が基板９８の貫通孔１０２に挿入された場合、接触部３８が接点部１００と接触されると共に、挿入部３０に形成された引っ掛け部２９が基板９８に引っ掛けられる。【選択図】図９
2017135010.tif 000002
【特許請求の範囲】
【請求項１】
コンタクト本体と、前記コンタクト本体の一方側に電線が接続される接続部と、他方側に基板の接点部と接触される接触部と、を有し、一体に形成されたコンタクトであって、
前記コンタクト本体の前記接続部とは反対側からは、屈曲片が延設されており、
前記屈曲片には、前記基板に形成された貫通孔に挿入される挿入部と、前記接触部とが形成されており、
前記挿入部には、前記挿入部の外側に突出された引っ掛け部が形成されており、
前記挿入部が前記基板の貫通孔に挿入された場合、前記接触部が前記接点部と接触されると共に、前記挿入部に形成された前記引っ掛け部が前記基板に引っ掛けられることを特徴とするコンタクト。
【請求項２】
前記挿入部は、前記コンタクト本体の前記屈曲片が延設された部分から、前記コンタクト本体から離れる方向に延設された第１延設部と、前記第１延設部が延設された方向とは反対方向に向かうように屈曲された屈曲部を介して延設され、前記引っ掛け部が形成された第２延設部とを有し、
前記第２延設部は、前記屈曲部を軸に弾性変形可能とされていることを特徴とする請求項１に記載のコンタクト。
【請求項３】
前記コンタクト本体は、少なくとも上面部と、前記上面部と対向し、前記基板側に配置される底面部と、を有し、
前記屈曲片は前記底面部の前記接続部とは反対側から延設されており、
前記屈曲片には、前記挿入部と前記接触部との間に前記コンタクト本体の前記上面部の内側と当接される当接部が形成されており、
前記挿入部が前記基板の前記貫通孔に挿入され、前記接触部が前記基板の前記接点部と接触される場合、前記当接部が前記コンタクト本体に押圧されると共に、前記接点部が前記接触部に押圧されて接触されることを特徴とする請求項１又は２に記載のコンタクト。
【請求項４】
前記接触部は、前記コンタクト本体の前記上面部側から底面部側に向かうように前記当接部の前記挿入部とは反対側から延設され、前記接触部と前記当接部との間を軸に弾性変形可能とされており、
前記基板の前記接点部に接触される際に弾性変形されることを特徴とする請求項３に記載のコンタクト。
【請求項５】
前記屈曲片の前記挿入部より先の部分は、前記挿入部の前記第２延設部の弾性移動と連動されて移動されることを特徴とする請求項２〜４のいずれかに記載のコンタクト。
【請求項６】
前記挿入部は、前記コンタクト本体の一部で覆われていることを特徴とする請求項１〜５のいずれかに記載のコンタクト。
【請求項７】
少なくとも１つの前記請求項１〜６のいずれかに記載のコンタクトと、
前記コンタクトが収容される前記コンタクトと同数のコンタクト収容部が形成されたソケットと、を有し、
前記コンタクト収容部の前記基板と接する側からは、前記コンタクトの前記挿入部が突出されていることを特徴とするコネクタ。
【請求項８】
前記ソケットは、前記コンタクトの前記接触部が配置される側が開口されていることを特徴とする請求項７に記載のコネクタ。
【発明の詳細な説明】
【技術分野】
【０００１】
本発明は、被取付部材、例えば、基板への取り付けを容易に行うことができるコンタクト及びコネクタに関し、詳しくは、接触力の低下を抑制し、安定した接触力を維持することができるコンタクト及びコネクタに関する。
【背景技術】
【０００２】
下記特許文献１には、基板との接続を容易に行う配線基板接続構造の発明が開示されている。下記特許文献１に開示された配線基板接続構造によれば、印刷配線基板において、外部に接続されるべき複数の配線の端部を並列的に集合させて上記基板の外周部に接続端子部を形成するとともに、該接続端子部の両側に外方に向けて開口する装着口を形成し、上記接続端子部が挿入される挿入口と上記接続端子部の各配線に圧接せしめられるバネ性を有したコンタクトピンとを有するコネクタを上記装着口を利用して上記接続端子部に装着することにより、上記接続端子部の各配線と上記コネクタの各コンタクトピンに連結された外部のケーブルとを電気的に接続するとしている。
【先行技術文献】
【特許文献】
【０００３】
【特許文献１】実開平０６−０６００８２号公報
【発明の概要】
【発明が解決しようとする課題】
【０００４】
しかし、上記特許文献１に開示された配線基板接続構造では、ハウジングが変形してしまうと、接触力が低下するという課題がある。
【０００５】
本発明は上述のような従来技術の課題を解決するためになされたものであって、本発明の目的は、基板との接触力の低下を抑制し、安定した接触力を維持することができるコンタクト及びコネクタを提供することにある。
【課題を解決するための手段】
【０００６】
上記目的を達成するために、本発明の第１の態様にかかるコンタクトは、コンタクト本体と、前記コンタクト本体の一方側に電線が接続される接続部と、他方側に基板の接点部と接触される接触部と、を有し、一体に形成されたコンタクトであって、
前記コンタクト本体の前記接続部とは反対側からは、屈曲片が延設されており、
前記屈曲片には、前記基板に形成された貫通孔に挿入される挿入部と、前記接触部とが形成されており、
前記挿入部には、前記挿入部の外側に突出された引っ掛け部が形成されており、
前記挿入部が前記基板の貫通孔に挿入された場合、前記接触部が前記接点部と接触されると共に、前記挿入部に形成された前記引っ掛け部が前記基板に引っ掛けられることを特徴とする。
【０００７】
また、第２の態様のコンタクトは、第１の態様のコンタクトにおいて、前記挿入部は、前記コンタクト本体の前記屈曲片が延設された部分から、前記コンタクト本体から離れる方向に延設された第１延設部と、前記第１延設部が延設された方向とは反対方向に向かうように屈曲された屈曲部を介して延設され、前記引っ掛け部が形成された第２延設部とを有し、
前記第２延設部は、前記屈曲部を軸に弾性変形可能とされていることを特徴とする。
【０００８】
また、第３の態様のコンタクトは、第１又は２の態様のコンタクトにおいて、前記コンタクト本体は、少なくとも上面部と、前記上面部と対向し、前記基板側に配置される底面部と、を有し、
前記屈曲片は前記底面部の前記接続部とは反対側から延設されており、
前記屈曲片には、前記挿入部と前記接触部との間に前記コンタクト本体の前記上面部の内側と当接される当接部が形成されており、
前記挿入部が前記基板の前記貫通孔に挿入され、前記接触部が前記基板の前記接点部と接触される場合、前記当接部が前記コンタクト本体に押圧されると共に、前記接点部が前記接触部に押圧されて接触されることを特徴とする。
【０００９】
また、第４の態様のコンタクトは、第３の態様のコンタクトにおいて、前記接触部は、前記コンタクト本体の前記上面部側から底面部側に向かうように前記当接部の前記挿入部とは反対側から延設され、前記接触部と前記当接部との間を軸に弾性変形可能とされており、
前記基板の前記接点部に接触される際に弾性変形されることを特徴とする。
【００１０】
また、第５の態様のコンタクトは、第２〜４のいずれかの態様のコンタクトにおいて、前記屈曲片の前記挿入部より先の部分は、前記挿入部の前記第２延設部の弾性移動と連動されて移動されることを特徴とする。
【００１１】
また、第６の態様のコンタクトは、第１〜５のいずれかの態様のコンタクトにおいて、前記挿入部は、前記コンタクト本体の一部で覆われていることを特徴とする。
【００１２】
第７の態様のコネクタは、少なくとも１つの前記請求項１〜６のいずれかに記載のコンタクトと、
前記コンタクトが収容される前記コンタクトと同数のコンタクト収容部が形成されたソケットと、を有し、
前記コンタクト収容部の前記基板と接する側からは、前記コンタクトの前記挿入部が突出されていることを特徴とする。
【００１３】
また、第８の態様のコネクタは、第７の態様のコネクタにおいて、前記ソケットは、前記コンタクトの前記接触部が配置される側が開口されていることを特徴とする。
【発明の効果】
【００１４】
第１の態様のコンタクトによれば、コンタクトに形成された挿入部を基板の貫通孔に挿入させるだけで、基板に引っ掛け部が引っ掛かることで基板からの抜け止めを行うことができ、接触力の低下を抑制し、安定した接触力を維持することができる。
【００１５】
また、第２の態様のコンタクトによれば、引っ掛け部が形成された挿入部を基板の貫通孔に挿入する際に、この引っ掛け部が形成された第２延設部が弾性変形されることで、円滑に挿入することができると共に、弾性変形が元に戻ることで引っ掛け部を確実に基板に引っ掛けることができるようになり、高い接触力を維持することができる。
【００１６】
また、第３の態様のコンタクトによれば、基板に装着させる場合に、コンタクト本体に屈曲片の当接部が押圧されることで、接触部が接点部に押圧されるようになるので、高い接触力を維持することができる。
【００１７】
また、第４の態様のコンタクトによれば、基板の接点部と接触される接触部が弾性変形されることで、より高い接触力を得ることができる。また、当接部から押圧されても接触部が弾性変形することで、基板が変形することが抑制される。
【００１８】
また、第５の態様のコンタクトによれば、屈曲部の挿入部より先の部分、すなわち、当接部及び接触部が形成される部分と挿入部の第２延設部が連動されているため、当接部及び接触部が形成される部分を移動させると第２延設部も移動するようになり、第２延設部に形成された引っ掛け部の引っ掛けを当接部及び接触部が形成される部分を移動させることで解除することができる。
【００１９】
また、第６の態様のコンタクトによれば、挿入部がコンタクト本体の一部で覆われることで、コンタクト同士で絡まることが抑制される。
【００２０】
本発明の第７の態様のコネクタによれば、ソケットからコンタクトの挿入部が突出される構成とされることで、上記第１〜第６のいずれかのコンタクトの効果を奏するコネクタを得ることができる。
【００２１】
また、第８の態様のコネクタによれば、ソケットの開口からコンタクトの接触部側を押圧することで、挿入部の第２延設部を弾性変形させることができ、引っ掛け部を外すことができる。
【図面の簡単な説明】
【００２２】
【図１】図１Ａは実施形態のコネクタの斜視図であり、図１Ｂは他方から見た斜視図であり、図１Ｃは一方から見た分解図である。
【図２】図２Ａは実施形態のコネクタを基板に実装した状態を示した斜視図であり、図２Ｂは他方からみた斜視図であり、図２Ｃは基板の平面図である。
【図３】図３Ａは実施形態のコネクタの正面図であり、図３Ｂは平面図であり、図３Ｃは底面図であり、図３Ｄは一方から見た側面図であり、図３Ｅは背面図である。
【図４】図４Ａはコンタクトの一方から見た側面図であり、図４Ｂは平面図であり、図４Ｃは底面図であり、図４Ｄは正面図であり、図４Ｅは他方から見た側面図であり、図４Ｆは背面図であり、図４Ｇは図４ＡのIVG−IVG線での断面図である。
【図５】図５Ａは電線を接続した状態のコンタクトの一方から見た側面図であり、図５Ｂは平面図であり、図５Ｃは底面図であり、図５Ｄは正面図であり、図５Ｅは他方から見た側面図であり、図５Ｆは背面図である。
【図６】図６Ａは図５ＡのVIG−VIG線での断面図であり、図６Ｂは図６Ａのコンタクトを変形させた状態を示す断面図である。
【図７】図７Ａはソケットの正面図であり、図７Ｂは平面図であり、図７Ｃは底面図であり、図７Ｄは一方から見た側面図であり、図７Ｅは背面図であり、図７Ｆは図７ＢのVIIF−VIIF線での断面図であり、図７Ｇは図７ＢのVIIG−VIIG線での断面図である。
【図８】図８Ａ〜図８Ｃはソケットにコンタクトを装着する工程を示した断面図である。
【図９】図９Ａ〜図９Ｃはコネクタを基板に実装する工程を示した断面図である。
【図１０】図１０Ａ〜図１０Ｃはコネクタを基板から取り外す工程を示した断面図である。
【発明を実施するための形態】
【００２３】
以下、図面を参照して本発明の実施形態を説明する。但し、以下に示す実施形態は、本発明の技術思想を具体化するためのコンタクト及びコネクタを例示するものであって、本発明をこれに特定することを意図するものではなく、特許請求の範囲に含まれるその他の実施形態のものにも等しく適応し得るものである。
【００２４】
［実施形態］
図１〜１０を参照して、実施形態に係るコネクタ１０について説明する。実施形態のコネクタ１０は、図１〜図３に示すように、電線９６と接続された複数のコンタクト１２（実施形態では６本）と、このコンタクト１２が収容されるコンタクト収容部９０が所定の間隔でそれぞれ形成されたソケット６４を有している。そして、コネクタは、図２に示すように、被取付部材としての基板９８に取り付けられ、この基板９８に形成された接点部１００とコンタクト１２が接触されるようになる。
【００２５】
なお、実施形態のコネクタ１０が実装される基板９８は、図２Ｃに示すように、複数の貫通孔１０２が形成され、この貫通孔１０２と対応する位置に接点部１００がそれぞれ設けられている。この貫通孔１０２は、コネクタ１０が取り付けられる際に、コンタクト１２の一部が挿入される部分となっているが、詳細は後述する。また、接点部１００は、コネクタ１０が取り付けられた際にコンタクト１２に形成された接触部３８が接触され、導通される部分となる。
【００２６】
また、基板９８には、コネクタ１０のソケット６４が配置される部分であって、貫通孔１０２の外側に一対の楕円状の固定孔１０４がそれぞれ形成されている。この固定孔１０４は、ソケット６４に形成された突起部８４が挿入される部分となっており、コネクタ１０が正しい向きで取り付けられるようにすると共に、取り付けられた際に固定させるためのものである。
【００２７】
次に、図４〜図６を参照して実施形態のコンタクト１２について説明する。なお、実施形態のコンタクト１２は複数装着されるようになっているが、それぞれが共通する構成となっているので、代表して、１つのコンタクト１２について説明する。
【００２８】
コンタクト１２は、上面部１６、底面部２０、一方の側面部４４及び他方の側面部５０で囲まれ、内部に所定の空間５４を有する矩形状の筒状体で構成されたコンタクト本体１４と、コンタクト本体１４の一方側には、基板９８の接点部１００と接触される接触部３８が配置され、他方側には、電線９６が接続される接続部４６を有しており、金属製の板体を打ち抜き、折り曲げ加工等を行なうことで形成されている。
【００２９】
また、コンタクト本体１４の接触部３８が配置される側は、前面部５６となっており、開口された前面開口部５８を有し、前面部５６と反対側の接続部４６が形成される側は、後面部６０となっており、開口された後面開口部６２を有している。
【００３０】
コンタクト本体１４の上面部１６は、細長い矩形状の平面で形成されている。この上面部１６の後面部６０側には、上面部１６より外側、すなわち空間５４とは反対側に突出された係止片１８が形成されている。この係止片１８は、ソケット６４に収容された際に位置決めされ、抜け止めされる部分となる。
【００３１】
コンタクト本体１４の底面部２０は、平面状の板体で形成された部分が上面部１６に比べ、小さい面積で形成されており、他の部分は開放されている。また、底面部２０の後面部６０とは反対側の端部からは、長尺の細長い板体が複数回屈曲されて形成された屈曲片２２が延設されている。
【００３２】
この屈曲片２２には、基板９８に形成された貫通孔１０２に挿入される挿入部３０と、コンタクト本体１４の上面部１６の内側に隣接し、コンタクト１２が基板９８に取り付けられる際にはこの上面部１６の内側と当接される当接部３７と、基板９８に形成された接点部１００と接触される接触部３８を有するように構成されている。
【００３３】
屈曲片２２の挿入部３０は、コンタクト本体１４の底面部２０の前面部５６側の端部から、空間５４側とは反対側に向かって底面部２０に対して略垂直に延設された第１延設部２４と、第１延設部２４の底面部２０とは反対側の端部からコンタクト本体１４側に向かって略１８０°折り曲げられて屈曲された第１屈曲部２６と、第１屈曲部２６の第１延設部２４とは反対側からコンタクト本体１４に向かうように延設された第２延設部２８が、第１延設部２４に沿うように構成されている。
【００３４】
また、第２延設部２８には、第１延設部２４とは反対側に突出して形成された突起が形成されており、この突起は、挿入部３０が貫通孔１０２に挿入された際に、抜け止めとなる引っ掛け部２９となる。
【００３５】
また、挿入部３０は、弾性変形可能とされており、第１屈曲部２６を軸として第１延設部２４に対して第２延設部２８が反復移動されるようになっている。
【００３６】
また、挿入部３０から先の屈曲片２２は、第２延設部２８の第１屈曲部２３とは反対側であって、コンタクト本体１４の前面部５６側に向かい、且つ、上面部１６に隣接する方向に屈曲された第２屈曲部が形成され、この第２屈曲部２６から斜め方向に向かって延設された第３延設部３２を有している。
【００３７】
また、第３延設部３２の第２屈曲部２６とは反対側の端部には、コンタクト本体１４の上面部１６と平行となるように屈曲された第４屈曲部３３を有し、この第４屈曲部３３の第３延設部３２とは反対側の端部には、上面部１６と平行な第４延設部３４が延設されている。
【００３８】
さらに、第４延設部３４の第４屈曲部３３とは反対側の端部には、第５屈曲部３５が形成されている。この第５屈曲部３５は、コンタクト本体１４の上面部１６側から底面部２０側に向かうように折り返すように屈曲されている。
【００３９】
なお、屈曲片２２の当接部３７は、屈曲片２２がコンタクト本体１４の上面部１６側の内側と当接する部分、すなわち、実施形態では、コンタクト本体１４の上面部１６に隣接される第４屈曲部と、第４延設部３４と、第４延設部３４側の第５屈曲部３５の一部とを含む部分で構成されている。
【００４０】
また、第５屈曲部３５の第４延設部３４とは反対側の端部からは、接触部３８が延設されている。この接触部３８は、第５屈曲部３５からコンタクト本体１４の後面部６０側に向かって延設され、また、上面部１６から離れるように傾斜して形成されている。そのため、接触部３８は、第５屈曲部３５との付け根を軸として弾性変形が可能とされており、接触部３８が接点部１００と接触される場合は、上面部１６に押圧されることで接触部３８と第５屈曲部３５と間の部分が弾性変形され、接触力を高めるようになっている。また、接触部３８において、傾斜して形成された先端部分に基板９８の接点部１００と接触される接触点を有し、曲面状に形成されている。
【００４１】
また、屈曲片２２の第４延設部３４、第５屈曲部３５、及び接触部３８は、コンタクト本体１４の前面部５６から露出されるように配置されている。なお、第５屈曲部３５には、後述するコネクタ１０を基板９８から取り外す際の押圧部３６を有しており、押圧部３６は、実施形態では、第５屈曲部３５の一部が直線状に形成されている。この押圧部３６が押圧されることで、挿入部３０が弾性変形され、屈曲片２２がコンタクト本体１４内に移動されるようになる。
【００４２】
なお、実施形態の第５屈曲部３５は、一部に押圧部３６となる直線状の部分を有し、両端が曲線状となっているが、これに限らず、第５屈曲部の全体が曲線状に形成されるようにしてもよい。この場合、曲線状の部分が押圧されるようになる。
【００４３】
また、底面部２０の屈曲片２２が形成された側とは反対側には、コンタクト本体１４の外側、すなわち上面部１６とは反対方向に折り曲げられた案内片４０が形成されている。この案内片４０は、コンタクト１２がソケット６４に挿入される際に、ソケット６４に形成されたコンタクト収容部９０の案内溝８２（図１Ｂ、図８参照）に沿ってコンタクト１２の挿入が案内される部分となる。
【００４４】
さらに、底面部２０には、他方の側面部５０側に突出し、コンタクト本体１４を越える位置まで延設された規制突起４２が形成されている。この規制突起４２は、コンタクト１２がソケット６４に挿入されたとき、ソケット６４のコンタクト収容部９０に形成された規制壁９４（図３、図７参照）と当接し、挿入が規制されると共に、位置決めされる部分である。
【００４５】
また、コンタクト本体１４の一方の側面部４４及び他方の側面部５０は、上面部１６の両側面から垂下して形成された板状体で形成されており、コンタクト本体１４を覆うようにされている。このとき、一方の側面部４４と他方の側面部５０とは、異なる形状で形成されている。
【００４６】
一方の側面部４４の上面部１６とは反対側の端部には、上述した底面部２０が上面部１６と略平行となるように屈曲され、コンタクト本体１４の内部に中空の空間５４が形成されるようにされている。また、一方の側面部４４の後面部６０側には、電線９６が接続される接続部が形成されている。この接続部４６は、電線９６を圧着して接続される接続片４８が複数形成されており、例えば、電線９６の樹脂部分と芯部分とがそれぞれ接続されるようになっている。
【００４７】
また、他方の側面部５０は、一方の側面部４４より大きな面積で形成され、さらに、屈曲片２２の挿入部３０と対応する部分には、上面部１６とは反対側の端部からは細長い壁部５２が延設されている。この壁部５２が形成されることで、コンタクト１２がソケット６４に挿入される前において、コンタクト同士が絡むことを抑制することができる。
【００４８】
次に、図１〜３及び図７を参照してソケット６４について説明する。ソケット６４は、図７に示すように、前面６６、後面７０、上面７４、底面８０、一方の側面８６及び他方の側面８８とで構成された平坦な直方体状であって、内部に複数のコンタクト１２が収容される複数のコンタクト収容部９０を有し、例えば、樹脂材料で形成されている。なお、コンタクト収容部９０は、それぞれ仕切壁９２により区切られ、所定の間隔で形成されている。なお、実施形態では６つの区分のコンタクト収容部９０が設けられている。
【００４９】
ソケット６４の前面６６には、複数のコンタクト１２が挿入される複数の挿入口６８がそれぞれ形成され、この挿入口６８は、コンタクト収容部９０に繋がれている。また、各挿入口６８は仕切壁９２により区切られており、仕切壁９２の前面６６側は、コンタクト１２が挿入口６８に挿入しやすくするように、それぞれ傾斜した部分が形成されている。
【００５０】
ソケット６４の後面７０には、コンタクト収容部９０と繋がれた突出口７２がそれぞれ形成されており、実施形態では、収容されたコンタクト１２の一部が突出されて配置される部分となる。
【００５１】
ソケット６４の上面７４には、コンタクト収容部９０と連通された複数の係止孔７６が形成されている。この係止孔７６は、コンタクト１２がコンタクト収容部９０に収容された際に、コンタクト１２に形成された係止片が嵌り込む部分となっており、係止孔７６の前面６６側が係止片１８と当接されて係止される係止部７８となっている。
【００５２】
ソケット６４の底面８０には、コンタクト収容部９０に沿って案内溝８２が形成されている。この案内溝８２は、コンタクト収容部９０の幅よりも狭い幅で、前面６６から後面７０に亘って形成されている。この案内溝８２には、コンタクト１２に形成された挿入部３０及び案内片４０が通過されることで、コンタクト１２の挿入が案内されるようになっている。なお、実施形態では、案内溝８２からは、屈曲片２２の挿入部３０が突出されるようになり、また、案内片４０は突出されない。さらに、案内溝８２は、屈曲片２２の接触部３８が弾性変形する際に、通過される部分にもなっている。
【００５３】
また、ソケット６４の底面８０の一方の側面８６及び他方の側面８８側には、一対の突起部８４がそれぞれ形成されている。この突起部８４は、基板９８に形成された固定孔１０４に挿入される部分となる。なお、実施形態では、突起部８４は、楕円状の柱状体で形成されているが、これに限らず、任意の形状とすることができる。その場合は、基板の固定孔の形状も対応した形状となる。
【００５４】
また、コンタクト収容部９０は、コンタクト１２の上面部１６、底面部２０の一部、一方の側面部４４及び他方の側面部５０が覆われる大きさで形成され、前面６６から後面７０に亘って貫通されている。
【００５５】
コンタクト収容部９０の上面７４側には、コンタクト１２に形成された係止片１８が侵入される係止孔７６が貫通して形成されている。また、コンタクト収容部９０の上面７４側には、コンタクト収容部９０の途中から後面に向かうにつれて狭くなる部分が形成されている。この狭くなる部分により係止部７８が形成されており、コンタクト１２の係止片１８が係止される。なお、この狭くなる部分は、コンタクト１２の係止片１８が変形されて通過されるようになる。
【００５６】
また、コンタクト収容部９０には、挿入されるコンタクト１２の他方の側面部５０側が配置される側に、コンタクト収容部９０が狭くなるように形成された規制壁９４を有している。この規制壁９４は、挿入されたコンタクト１２の挿入が規制され、位置決めされる部分となる。なお、実施形態では、規制壁９４は、係止孔７６と対応する位置に形成されている（図７Ｇ参照）
【００５７】
次に、図８を参照して、実施形態のコネクタ１０の組立てについて説明する。実施形態のコネクタ１０の組立ては、電線９６が装着されたコンタクト１２をソケット６４のコンタクト収容部９０に装着させることで行われる。なお、電線９６のコンタクト１２への接続は、電線９６にコンタクト１２の接続部４６の接続片４８を折り曲げ、圧着させることで行われる。
【００５８】
そして、コンタクト１２の前面部５６からソケット６４の前面６６に形成された挿入口６８にそれぞれ挿入させる。
【００５９】
なお、コンタクト１２の挿入の途中において、コンタクト収容部９０の上面７４側の狭くなる部分にコンタクト１２の上面部１６に形成された係止片１８が当接するが、係止片１８が弾性変形することで、挿入を続けることができる。
【００６０】
さらにコンタクト１２の挿入を続けると、コンタクト１２の他方の側面部５０に設けられた規制突起４２がソケット６４のコンタクト収容部９０の規制壁９４と当接される。また、コンタクト１２の係止片１８が、ソケット６４のコンタクト収容部９０の上面７４側の係止孔７６に侵入し、係止片１８の変形が解除され、係止部７８に係止されるようになる。そして、コンタクト１２がソケット６４のコンタクト収容部９０から抜け止めされることで、コンタクト１２のソケット６４への装着が完了する。
【００６１】
また、このコンタクト１２のソケット６４への装着の工程を、所定の本数、実施形態では６本分を行い、コネクタ１０の組立てが完了する。なお、コンタクトのソケットへの装着は、１本ごと行ってもよく、また、まとめて行ってもよい。
【００６２】
次に、図９を参照して、コネクタ１０の基板９８への取り付けについて説明する。コネクタ１０の基板９８への取り付けは、図９Ａに示すように、基板９８に形成された貫通孔１０２とコネクタ１０のソケット６４から突出したコンタクト１２の挿入部３０、及び基板９８に形成された固定孔１０４とソケット６４の底面８０に形成された突起部８４をそれぞれ対応させて、基板９８の上方から挿入させる。このとき、ソケット６４の突起部８４及び基板９８の固定孔１０４と、コンタクト１２の挿入部３０及び基板９８の貫通孔１０２の両方を挿入するため、コネクタ１０が反対に取り付けられることを抑制することができる。
【００６３】
また、コンタクト１２の挿入部３０を基板９８の貫通孔１０２に挿入させる場合、図９Ｂに示すように、コンタクト１２の挿入部３０の第２延設部２８に形成された引っ掛け部２９が貫通孔１０２の外周部に当接されるが、コンタクト１２の挿入部３０の第１延設部２４と第２延設部２８が第２屈曲部２６を軸に弾性変形可能とされているので、引っ掛け部２９が形成された第２延設部２８が第１延設部２４側に移動するように変形して、貫通孔１０２内に挿入されるようになる。
【００６４】
さらに、挿入部３０を基板９８の貫通孔１０２に挿入させるにつれて、コンタクト１２の接触部３８は、基板９８と当接するようになる。このとき、屈曲片２２の第４屈曲部３３、第４延設部３２及び第５屈曲部３５の上面部１６側の当接部３７が、この上面部１６の内側と当接し、押圧されることで、接触部３８と第５屈曲部３５との間で弾性変形されるようになる。
【００６５】
その後、コンタクト１２の挿入部３０の引っ掛け部２９が貫通孔１０２を通過すると、挿入部３０の第２延設部２８が第２屈曲部２６の弾性力により元に戻り、引っ掛け部２９が基板９８の裏側、すなわち、コネクタ１０が取り付けられる側とは反対側の面に引っ掛かり、コネクタ１０の抜け止めがされるようになる（図９Ｃ参照）。
【００６６】
また、このとき、コンタクト１２の接触部３８が基板９８の接点部１００と接触するようになるが、コンタクト１２の屈曲片２２の当接部３７が、コンタクト１２の上面部１６の内側から押圧されることで、接触部３８の弾性変形は維持されたままとなり、接触部３８は、弾性力を維持したまま接点部１００と接触が行われるようになる。そのため、接触力の低下が抑制され、安定した接触力を維持することができる
【００６７】
なお、ソケット６４の突起部８４は、そのまま、基板９８の固定孔１０４に挿入される。
【００６８】
次に、図１０を参照して、基板９８に取り付けられたコネクタ１０の取り外しについて説明する。コネクタ１０の基板９８からの取り外しは、図１０Ａに示すコネクタ１０が基板９８に取り付けられた状態において、コンタクト１２の前面部５６から突出されている第５屈曲部３５の押圧部３６を押圧する。
【００６９】
図１０Ｂに示すように、この押圧部３６が押圧されることで、コンタクト１２の屈曲片２２の第５屈曲部３５がコンタクト本体１４内に移動すると共に、この移動が屈曲片２２のうちの第４延設部３４、第４屈曲部３３、第３延設部３２、第３屈曲部３１及び第２延設部２８も移動され、さらに、第２延設部２８が第２屈曲部２６を軸に第１延設部２４側に移動される。そして、第２延設部２８が移動されることで引っ掛け部２９が基板９８の裏面から外れ、コンタクト１２の抜け止めが解除されるようになる。なお、この押圧部３６の押圧は、すべてのコンタクトを同時に押圧するための治具等の部材を用いてもよい。
【００７０】
その後、図１０Ｃに示すように、コンタクト１２の屈曲片２２の第２延設部２８の引っ掛け部２９が基板９８から外れた状態となるように押圧部３６を押圧したまま、コネクタ１０を基板９８から上方に移動することで、コネクタ１０の基板９８からの取り外しが完了する。なお、コンタクト１２の屈曲片２２の接触部３８は、押圧部３６への押圧が解除されると、第２屈曲部２６の弾性力により、元の状態に戻される。同様に、接触部３８においても、第５屈曲部３５との間の弾性力が解除されることで、元の状態に戻されるようになる（図９Ａ参照）。
【００７１】
また、ソケット６４の突起部８４は、そのまま基板９８の固定孔１０４から引き抜かれる。
【００７２】
なお、実施形態では、屈曲片２２の第４延設部３４の一部、第５屈曲部３５、及び接触部３８はコンタクト本体１４の前面部５６の前面開口部５８から突出した状態の場合を説明したが、これに限らず、屈曲片２２のすべてがコンタクト本体内に配置されるようにして、コンタクト本体１４の前面部５６から突出させないような構成としてもよい。この場合、コネクタを基板から取り外す際の押圧部の押圧は、棒状の治具を用いて行われる。また、コンタクトが複数の場合は、櫛歯状の治具を用いるようにしてもよい。
【００７３】
また、実施形態では、屈曲片２２の第４屈曲部３３と第５屈曲部３５との間に第４延設部３４を設けた場合を説明したが、これに限らず、第４屈曲部３３の端部から第５屈曲部３５を形成するようにしてもよい。この場合、第４屈曲部と第５屈曲部との付け根部分が当接部となり、コンタクト本体の上面部の内側と当接する部分となる。
【００７４】
また、実施形態では、屈曲片２２の第３屈曲部３１と第４屈曲部３３、及びこれらの間に傾斜した第３延設部３２を設けた場合を説明したが、これに限らず、傾斜した第３延設部を省き、第２延設部をコンタクト本体の上面部の内側に隣接する位置まで延設し、その端部を屈曲させて、上面部と平行な第４延設部を設けるようにしてもよい。
【符号の説明】
【００７５】
１０：コネクタ  １２：コンタクト  １４：コンタクト本体  １６：上面部  １８：係止片  ２０：底面部  ２２：屈曲片  ２３：第１屈曲部  ２４：第１延設部  ２６：第２屈曲部  ２８：第２延設部  ２９：引っ掛け部  ３０：挿入部  ３１：第３屈曲部  ３２：第３延設部  ３３：第４屈曲部  ３４：第４延設部  ３５：第５屈曲部  ３６：押圧部  ３７：当接部  ３８：接触部  ４０：案内片  ４２：規制突起  ４４：一方の側面部  ４６：接続部  ４８：接続片  ５０：他方の側面部  ５２：壁部  ５４：空間  ５６：前面部  ５８：前面開口部  ６０：後面部  ６２：後面開口部  ６４：ソケット  ６６：前面  ６８：挿入口  ７０：後面  ７２：突出口  ７４：上面  ７６：係止孔  ７８：係止部  ８０：底面  ８２：案内溝  ８４：突起部  ８６：一方の側面  ８８：他方の側面  ９０：コンタクト収容部  ９２：仕切壁  ９４：規制壁  ９６：電線  ９８：基板  １００：接点部  １０２：貫通孔  １０４：固定孔
【図１】
2017135010.tif 000003
【図２】
2017135010.tif 000004
【図３】
2017135010.tif 000005
【図４】
2017135010.tif 000006
【図５】
2017135010.tif 000007
【図６】
2017135010.tif 000008
【図７】
2017135010.tif 000009
【図８】
2017135010.tif 000010
【図９】
2017135010.tif 000011
【図１０】
2017135010.tif 000012